(57)【特許請求の範囲】
【請求項１】
レーザ光走査手段によって走査されたレーザ光によって形成される潜像に基づいて記録媒体上に画像を形成する画像形成装置において、
レーザ光を光偏向器によって偏向し、前記偏向器からのレーザ光を検出する少なくとも２つのレーザ光検出手段と、
前記レーザ光検出手段間の通過時間間隔を書き込みクロックのカウントにより計測する計測手段と、
書き込みクロック周波数の変更があった場合に、前記変更がある前の基準カウント値と前記計測手段によって計測されたカウント値に基づいて画像上の等倍性を保つための書き込みクロック周波数を算出する書き込みクロック周波数算出手段と、
前記書き込みクロック周波数算出手段によって算出された書き込みクロック周波数を新たな書き込みクロック周波数として設定し、主走査の倍率調整を行う書き込みクロック周波数設定手段と、
前記書き込みクロック周波数設定手段によって倍率が調整された時点で、新たに前記基準カウント値の取得、更新を行う基準カウント値取得更新手段と、
を備えていることを特徴とする画像形成装置。
【請求項２】
前記基準カウント値を記憶する不揮発性メモリを備え、
前記基準カウント値取得更新手段は前記書き込みクロック周波数設定手段によって倍率が調整された時点で前記基準カウント値を更新することを特徴とする請求項１記載の画像形成装置。
【請求項３】
前記基準カウント値取得更新手段により基準カウント値が更新された後に、前記計測手段による前記レーザ光検出手段間の通過時間間隔の計測結果に基づき、前記書き込みクロック周波数算出手段によって前記書き込みクロック周波数を算出する際に、
前記書き込みクロック周波数算出手段は、更新後の基準カウント値を新たな目標値として書き込みクロック周波数を算出することを特徴とする請求項１記載の画像形成装置。
【請求項４】
前記レーザ光検出手段を露光開始側と露光終了側にそれぞれ備え、
前記基準カウント値取得更新手段により基準カウント値が更新された後に、前記計測手段による前記レーザ光検出手段間の通過時間間隔の計測結果に基づき、前記書き込みクロック周波数算出手段によって前記書き込みクロックを算出する際に、
書き込みクロック周波数算出手段は、
更新後の基準カウント値：Ｎ０
計測されたカウント値：Ｎ’
計測したときの書き込みクロック周波数：ｆ０
倍率調整後の書き込みクロック周波数：ｆ’
としたとき、
ｆ’＝（Ｎ０／Ｎ’）＊ｆ０
の計算式に基づいて書き込みクロック周波数を算出することを特徴とする請求項１記載の画像形成装置。
【請求項５】
レーザ光走査手段によって走査されたレーザ光によって形成される潜像に基づいて記録媒体上に画像を形成する画像形成装置において、
レーザ光を光偏向器によって偏向し、前記偏向器からのレーザ光を検出する少なくとも２つのレーザ光検出手段と、
前記レーザ光検出手段間の通過時間間隔を書き込みクロックのカウントにより計測する計測手段と、
前記計測手段のカウント結果が予め設定された基準カウント値と一致するような書き込みクロック周波数を算出する書き込みクロック周波数算出手段と、
前記書き込みクロック周波数算出手段によって算出された書き込みクロック周波数を新たな書き込みクロック周波数として設定し、主走査の倍率調整を行う書き込みクロック周波数設定手段と、
前記書き込みクロック周波数設定手段によって倍率が調整された時点で、新たに前記基準カウント値の取得、更新を行う基準カウント値取得更新手段と、
ユーザ自身が目視で倍率誤差に起因するずれ量の計測および調整を行うための予め設定されたチャートを出力する手段と、
ユーザが調整するための情報を入力する手段と、
を備え、
前記書き込みクロック周波数算出手段は、出力された前記チャートを参照してユーザが入力した情報に基づいて書き込みクロック周波数を算出し、前記書き込みクロック周波数設定手段により前記算出された書き込みクロック周波数に基づき倍率調整を行うことを特徴とするカラー画像形成装置。
【請求項６】
前記画像形成を行うための転写紙を搬送するベルト状搬送体と、
前記ベルト状搬送体上に予め設定された形状の複数のマークを形成する手段と、
前記複数のマークを検知する手段とをさらに備え、
前記書き込みクロック周波数算出手段は、前記複数のマークを検知する手段の検知結果に基づいて書き込みクロック周波数を算出し、前記書き込みクロック周波数設定手段により前記算出された書き込みクロック周波数に基づき倍率調整を行うことを特徴とする請求項５記載のカラー画像形成装置。
【発明の詳細な説明】
【０００１】
【発明の属する技術分野】
本発明は、電子写真方式あるいは静電記録方式を採用した複写機、プリンタ、ファクシミリ等のカラー画像形成装置を含む画像形成装置に係り、特に、カラー画像形成装置を含む画像形成装置における画像書き込み時の倍率補正および倍率調整技術に関する。
【０００２】
【従来の技術】
電子写真方式でカラー画像を形成する画像形成装置に採用されている作像プロセスには種々の方式のものが知られている。その１つにタンデムタイプと称される方式がある。この方式は、作像する色毎に感光体と、感光体に対する作像プロセス要素を備え、これらの感光体および作像プロセス要素を中間転写体や用紙搬送ベルトに沿って配置して各色毎に形成された画像を中間転写体上で重ね合わせ、重ね合わされたフルカラー画像を用紙に１度に転写したり、用紙搬送ベルトによって搬送される用紙が前記各感光体の転写プロセスを通過するたびにその感光体上に形成された色の画像を転写し、すべての転写ステーションを通過させてフルカラー画像を形成するするというものである。
【０００３】
図７に後者のタンデムタイプのカラー画像形成装置の構成を示す。
【０００４】
同図において、各々異なる色（イエロー：Ｙ、マゼンタ：Ｍ、シアン：Ｃ、ブラック：Ｋ）の画像を形成する画像形成部１００Ｙ、１００Ｍ、１００Ｃ、１００Ｋが、転写紙１を搬送する搬送ベルト２に沿って搬送方向上流側に一列に配置されている。搬送ベルト２は、一方が駆動回転する駆動ローラと他方が従動回転する従動ローラである搬送ローラ３、４との間に張設されており、駆動側の搬送ローラ３の回転により矢印方向に回転駆動される。搬送ベルト２の下部には、転写紙１が収納された給紙トレイ５が備えられている。収納された転写紙１のうち最上位置にある転写紙は、画像形成時には給紙され、静電吸着によって搬送ベルト２上に吸着される。吸着された転写紙１は、第１の画像形成部（イエロー）１００Ｙに搬送され、ここでイエローの画像形成が行われる。
【０００５】
第１の画像形成部（イエロー）は、感光体ドラム６Ｙと感光体ドラム６Ｙの周囲に配置された帯電器７Ｙ、露光器８、現像器９Ｙ、感光体クリーナ１０Ｙから構成されている。感光体ドラム６Ｙの表面は、帯電器７Ｙで一様に帯電された後、露光器８によりイエローの画像に対応したレーザー光１１Ｙで露光され、静電潜像が形成される。感光ドラム６Ｙ上に形成された静電潜像は現像器９Ｙで現像され、感光体ドラム６Ｙ上にトナー像が形成される。このトナー像は感光体ドラム６Ｙと搬送ベルト２上の転写紙１と接する位置（転写位置）で転写器１２Ｙによって転写され、転写紙１上に単色（イエロー）の画像を形成する。転写が終わった感光体ドラム６Ｙは、ドラム表面に残った不要なトナーを感光体クリーナ１０Ｙによってクリーニングされ、次の画像形成に備えることとなる。
【０００６】
このようにして第１の画像形成部（イエロー）１００Ｙで単色（イエロー）を転写された転写紙１は、搬送ベルト２によって第２の画像形成部（マゼンタ）１００Ｍに搬送される。ここでも、同様に感光体ドラム６Ｍ上に形成されたトナー像（マゼンタ）は、転写紙１上に重ねて転写される。転写紙１は、さらに第３の画像形成部（シアン）１００Ｃ、第４の画像形成部（ブラック）１００Ｋに搬送され、同様に形成されたＭ、Ｃ、Ｋのトナー像が順に転写されてカラー画像を形成してゆく。第４の画像形成部１００Ｋを通過してカラー画像が形成された転写紙１は、搬送ベルト２から剥離され、定着器１３にて定着された後、排紙される。なお、以下の説明では、第２ないし第４の画像形成部１００Ｍ、１００Ｃ、１００Ｋの各作像プロセス要素は、第１の画像形成部１００Ｙと色を示す添字を変えて示し、重複する各部の説明は省略する。
【０００７】
また、本カラー画像形成装置には、搬送ベルト２上に各色のトナーマーク列を形成し、電圧値の変化からトナーマーク列の位置を判定するための反射型の検出センサ１４、１５が主走査方向の両端に取り付け距離Ｌ［ｍｍ］の間隔をもって設けられている。
【０００８】
図８は前記搬送ベルト２上に形成されたトナーマーク列の一例を示す図である。トナーマーク列はブラックＫ、シアンＣ、マゼンタＭ、イエローＹの横線１６と、斜め線１７をそれぞれ形成し、センサ１４，１５により検出することによって図中のようにマーク中央位置１８を求め、基準色（この場合、黒色Ｋ）に対するスキュー、副走査レジストずれ、主走査レジストずれ、主走査倍率誤差の計測を行なうことができる。なお、各種のずれ量、補正量の算出および補正の実行命令は、例えばカラー画像形成装置本体に設けられている後述のメインＣＰＵ１０６により行われる。
【０００９】
図９は前記露光器８を構成する光学ユニットを上から見た概略図である。
【００１０】
同図において、ＬＤユニットＢＫ１６およびＬＤユニットＹ１７からの光ビームはシリンダレンズＣＹＬ＿ＢＫ１８、ＣＹＬ＿Ｙ１９を通り、反射ミラーＢＫ２０および反射ミラーＹ２１によってポリゴンミラー２２の下部側の面に入射し、ポリゴンミラー２２が回転することにより光ビームを偏向し、ｆθレンズＢＫＣ２３およびｆθレンズＹＭ２４を通り、第１ミラーＢＫ２５および第１ミラーＹ２６によって折り返される。
【００１１】
一方、ＬＤユニットＣ２７およびＬＤユニットＭ２８からの光ビームは、ＣＹＬ＿Ｃ２９およびＣＹＬ＿Ｍ３０を通り、ポリゴンミラー２２上部側の面に入射し、ポリゴンミラー２２が回転することにより光ビームを偏向し、ｆθレンズＢＫＣ２３およびｆθレンズＹＭ２４を通り、第１ミラーＣ３１および第１ミラーＭ３２によって折り返される。
【００１２】
主走査方向の書き出し位置より上流側にはシリンダミラーＣＹＭ＿ＢＫＣ３３およびＣＹＭ＿ＹＭ３４さらにはセンサＢＫＣ３５およびセンサＹＭ３６が備わっており、ｆθレンズＢＫＣ２３およびｆθレンズＹＭ２４を通った光ビームがＣＹＭ＿ＢＫＣ３３およびＣＹＭ＿ＹＭ３４によって反射集光されて、センサＢＫＣ３５およびセンサＹＭ３６に入射するような構成となっている。これらのセンサＢＫＣ３５、ＹＭ３６は、主走査方向の同期を取るための同期検知センサである。また、主走査方向の画像領域より下流側に、前記上流側と同様にシリンダミラーＣＹＭ＿ＢＫＣ３７およびＣＹＭ＿ＹＭ３８さらにはセンサＢＫＣ３９およびセンサＹＭ４０が備わっており、ｆθレンズＫＣ８２３およびｆθレンズＹＭ２４を通った光ビームがＣＹＭ＿ＢＫＣ３７およびＣＹＭ＿ＹＭ３８によって反射集光されて、センサＢＫＣ３９およびセンサＹＭ４０に入射するような構成となっている。
【００１３】
また、ＬＤユニットＢＫ１６およびＬＤユニットＣ２７からの光ビームでは、書き出し側では共通のＣＹＭ＿ＢＫＣ３３ならびにセンサＢＫＣ３５、終了側では共通のＣＹＭ＿ＢＫＣ３７ならびにセンサＢＫＣ３９を使用している。ＬＤユニットＹ１７およびＬＤユニットＭ２８についても同様である。同じセンサに２色の光ビームが入射することとなるので、各色の光ビームのポリゴンミラー２２の入射角を異なるようにすることで、それぞれの光ビームが各センサに入射するタイミングを変え、時系列的にパルス列として出力されるようになっている。図からも分かるように、ＢＫとＣおよびＹとＭは逆方向に走査される。
【００１４】
各々の色は、２つのビーム検出センサを持つこととなり、各々の２つのセンサの通過時間間隔を画素クロックによりカウントすることによって計測し、それらのカウント値と予め設定された基準カウント値とが一致するように書き込みクロック周波数の変更を行い、倍率の補正を行うようにしている。
【００１５】
【発明が解決しようとする課題】
ところで、従来のカラー画像形成装置では、例えば特開平７−１３１６１６号公報に開示されているように、書き込み開始側と終了側にレーザー光検出手段を設け、２点間の通過時間を所定のクロックのカウント数により計測し、初期的に記憶された基準カウント数と一致するように書き込みクロック周波数を補正し、等倍性を保つように構成されていた。すなわち、書き込みクロック周波数の変更の際に必要な前記基準カウント数は、装置組み付け時等に調整された際にのみ初期的に記憶されたものであった。
【００１６】
しかし、装置組み付け時等に初期的に記憶された値を目標に以降補正を行ったとしても、例えば光学ユニット（露光器８）の温度による歪み、経時による形状の変化等により倍率が合わなくなってしまうという問題があった。
【００１７】
したがって、本発明の目的とするところは、倍率が合った状態、言い換えれば倍率が調整された状態で、新たに基準カウント値の取得、変更（更新）を行い、高画質の画像を出力することができるカラー画像形成装置を提供することにある。
【００１８】
【課題を解決するための手段】
前記目的を達成するため、本発明は、レーザ光走査手段によって走査されたレーザ光によって形成される潜像に基づいて記録媒体上に画像を形成する画像形成装置において、レーザ光を光偏向器によって偏向し、前記偏向器からのレーザ光を検出する少なくとも２つのレーザ光検出手段と、前記レーザ光検出手段間の通過時間間隔を書き込みクロックのカウントにより計測する計測手段と、書き込みクロック周波数の変更があった場合に、前記変更がある前の基準カウント値と前記計測手段によって計測されたカウント値に基づいて画像上の等倍性を保つための書き込みクロック周波数を算出する書き込みクロック周波数算出手段と、前記書き込みクロック周波数算出手段によって算出された書き込みクロック周波数を新たな書き込みクロック周波数として設定し、主走査の倍率調整を行う書き込みクロック周波数設定手段と、前記書き込みクロック周波数設定手段によって倍率が調整された時点で、新たに前記基準カウント値の取得、更新を行う基準カウント値取得更新手段と、を備えていることを特徴とする。
【００１９】
なお、前記基準カウント値を記憶する不揮発性メモリを設け、前記基準カウント値取得更新手段は前記書き込みクロック周波数設定手段によって倍率が調整された時点で前記基準カウント値を更新するようにすると良い。
また、前記書き込みクロック周波数算出手段は、前記基準カウント値取得更新手段により基準カウント値が更新された後に、前記計測手段による前記レーザ光検出手段間の通過時間間隔の計測結果に基づき、前記書き込みクロック周波数算出手段によって前記書き込みクロック周波数を算出する際に、更新後の基準カウント値を新たな目標値として書き込みクロック周波数を算出するようにする。
【００２０】
さらに、前記レーザ光検出手段を露光開始側と露光終了側にそれぞれ備え、前記基準カウント値取得更新手段により基準カウント値が更新された後に、前記計測手段による前記レーザ光検出手段間の通過時間間隔の計測結果に基づき、前記書き込みクロック周波数算出手段によって前記書き込みクロックを算出する際に、
書き込みクロック周波数算出手段は、
更新後の基準カウント値：Ｎ０
計測されたカウント値：Ｎ’
計測したときの書き込みクロック周波数：ｆ０
倍率調整後の書き込みクロック周波数：ｆ’
としたとき、
ｆ’＝（Ｎ０／Ｎ’）＊ｆ０
の計算式に基づいて書き込みクロック周波数を算出するようにする。
【００２１】
また、本発明は、レーザ光走査手段によって走査されたレーザ光によって形成される潜像に基づいて記録媒体上に画像を形成する画像形成装置において、レーザ光を光偏向器によって偏向し、前記偏向器からのレーザ光を検出する少なくとも２つのレーザ光検出手段と、前記レーザ光検出手段間の通過時間間隔を書き込みクロックのカウントにより計測する計測手段と、前記計測手段のカウント結果が予め設定された基準カウント値と一致するような書き込みクロック周波数を算出する書き込みクロック周波数算出手段と、前記書き込みクロック周波数算出手段によって算出された書き込みクロック周波数を新たな書き込みクロック周波数として設定し、主走査の倍率調整を行う書き込みクロック周波数設定手段と、前記書き込みクロック周波数設定手段によって倍率が調整された時点で、新たに前記基準カウント値の取得、更新を行う基準カウント値取得更新手段と、ユーザ自身が目視で倍率誤差に起因するずれ量の計測および調整を行うための予め設定されたチャートを出力する手段と、ユーザが調整するための情報を入力する手段とを備え、前記書き込みクロック周波数算出手段は、出力された前記チャートを参照してユーザが入力した情報に基づいて書き込みクロック周波数を算出し、前記書き込みクロック周波数設定手段により前記算出された書き込みクロック周波数に基づき倍率調整を行うようにしたことを特徴とする。
【００２２】
なお、前記カラー画像形成装置は、前記画像形成を行うための転写紙を搬送するベルト状搬送体と、前記ベルト状搬送体上に予め設定された形状の複数のマークを形成する手段と、前記複数のマークを検知する手段とをさらに備え、前記書き込みクロック周波数算出手段は、前記複数のマークを検知する手段の検知結果に基づいて書き込みクロック周波数を算出し、前記書き込みクロック周波数設定手段により前記算出された書き込みクロック周波数に基づき倍率調整を行うようにすることも可能である。
【００２３】
なお、本明細書で使用している前記「倍率補正」という用語は、いわゆる２点同期方式により倍率を調整することで、絶対倍率の調整を行うことを意味し、「倍率調整」という用語は、前記倍率補正とは別にキャリブレーション的に行われる倍率の調整を意味する。
【００２４】
【発明の実施の形態】
以下、本発明の実施形態について図面を参照して説明する。なお、カラー画像形成装置のハード構成自体やマークの状態は従来例と同等なので同一とみなせる各部には同一の参照符号を付し、重複する説明は省略する。
【００２５】
前述のように従来のカラー画像形成装置では、書き込み画周波数の変更の際に必要な前記基準カウント数は、装置組み付け時等に調整された際にのみ初期的に記憶されたものであり、以降はこの値を目標に書き込みクロック周波数（以下、画周波数とも称す）の変更を行っていたが、装置組み付け時等に初期的に記憶された値を目標に以降補正を行ったとしても、光学ユニットの温度による歪みや経時による形状変化等により倍率が合わなくなる。そこで、ある適当な時点で、基準カウント数自体をキャリブレーションすることにより変更する必要が生じてくる。本実施形態では後述の方法により各色の倍率が調整された時点で、基準カウント値の取得をやり直すように構成した。その際のブラック（ＢＫ）の光書き込みの場合の動作概念図を図１に示す。
【００２６】
図１は開始側のセンサＢＫＣ３５および終了側のセンサＢＫＣ３９とそれらの出力信号ＸＤＥＴＰＳ＿ＢＫおよびＸＤＥＴＰＥ＿ＢＫとの関係を示すタイミングチャートである。
【００２７】
まず、ポリゴンモータを回転させ、ポリゴンミラー２２の回転が安定した後に開始側のセンサＢＫＣ３５および終了側のセンサＢＫＣ３９をビームが通過する手前からＬＤユニットＢＫ１６のレーザを点灯し始め、各々の出力信号ＸＤＥＴＰＳ＿ＢＫおよびＸＤＥＴＰＥ＿ＢＫを得る。双方の信号の時間間隔を倍率が調整された後の画周波数：ｆ０ｂｋにてカウントし、カウント値：Ｎ０ｂｋ［３１：０］を得たとする。他の色に関しても同様にしてＮ０ｃ［３１：０］（ｆ０ｃ）、Ｎ０ｍ［３１：０］（ｆ０ｍ）、Ｎ０ｙ［３１：０］（ｆ０ｙ）を得る。
【００２８】
基準カウント数は、図２のメモリマップに示すように不揮発性のメモリ、例えばＮＶＲＡＭの所定のアドレスに各色とも格納されている（図２にはＢＫおよびＣのみ示す）。キャリブレーション後に設定された各画周波数ｆ０ｋ、ｆ０ｃ、ｆ０ｍ、ｆ０ｙによって新たにＫＣＭＹの各色とも基準値の取得をやり直し、随時更新（上書き）を行う。そして、更新（上書き）された後の基準値を、それ以降の目標値として倍率補正を行う。
【００２９】
この処理手順を図３のフローチャートに示す。このフローチャートは、目標値の変更を行う際の手順を示すもので、まず、ステップＳ１で画周波数が変更されたかどうかを判定し、変更されていれば、ステップＳ２で変更された色の基準カウント値を取得し、ステップＳ３で基準カウント値を更新してリターンする。
【００３０】
基準カウント値と計測されたカウント値から倍率補正を行う方法は以下の通りである。
【００３１】
すなわち、図１において、２点同期時間間隔を画周波数：ｆ０ｂｋにてカウントした際、倍率が調整された時点でＮ０ｂｋであったものが温度特性等によりＮ’ｂｋになったとする。このとき、画像上での等倍性を保つために、画周波数の変更を行い、倍率補正を行う。変更される画周波数（ｆ’ｂｋ）は、
ｆ’ｂｋ＝（Ｎ０ｂｋ／Ｎ’ｂｋ）＊ｆ０ｂｋ  …（１）
により算出される。
【００３２】
図４は、本実施形態に係るカラー画像形成装置の倍率補正を行なう倍率補正手段の回路構成を示すブロック図である。なお、ここでは、黒色ＢＫ用についてのみ示したが、他色についても同様であるので割愛する。
【００３３】
倍率補正手段は、カウンタ回路４１、ラッチ回路４２、パラレル／シリアル変換回路４３、第１および第２のインターフェース（Ｉ／Ｆ）回路４４、４６、メインＣＰＵ４５、並びに周波数設定回路４７から構成されている。このような各回路から構成された倍率補正手段には、前述の図９に示した開始側のセンサＢＫＣ３５および終了側のセンサＢＫＣ３９各々の出力信号ＸＤＥＴＰＳ＿ＢＫおよびＸＤＥＴＰＥ＿ＢＫが、カウンタ回路４１のイネーブル信号として用いられている。カウンタ回路４１では、メインＣＰＵ４５から出力されるカウント開始信号がアクティブとなり、さらにＸＤＥＴＰＳ＿ＢＫ信号がアクティブとなってからＸＤＥＴＰＥ＿ＢＫ信号がアクティブとなるまでの期間、書き込みクロック：ＷＣＬＫ＿ＢＫにてカウントを行う。カウンタ回路４１の出力（カウント結果）は、ラッチ回路４２によってＸＤＥＴＰＥ＿ＢＫ信号がアクティブとなった時点でラッチされ、パラレル／シリアル変換回路４３および第１のＩ／Ｆ回路４４を介し、メインＣＰＵ４５によって取り込まれる。メインＣＰＵ４５は前述の（１）式に基づいて変更後の画周波数を求め、第２のＩ／Ｆ回路４６を介して画周波数設定回路４７に対して画周波数の設定を行う。
【００３４】
この画周波数の設定に伴う画周波数の変更手順を図５のフローチャートに示す。
【００３５】
この処理では、まずステップＳ１１でカウンタ回路４１はカウント開始信号の入力によってカウントをスタートし、ステップＳ１２で測定が終了したかどうかを判定する。測定が終了していれば、ステップＳ１３でメインＣＰＵ４５はラッチ回路４２でラッチされたカウント値を取り込み、ステップＳ１４で前述の（１）式に基づいて画周波数を算出する。次いで、ステップＳ１５で求めた画周波数を画周波数設定回路４７に対して設定してリターンする。
【００３６】
倍率調整を行うためにユーザ自身が目視で倍率誤差に起因するずれ量の計測および調整ができる所定のチャートを出力することによって倍率の調整を行うことも可能である。図６にこの目的のために出力されたチャートの一例を示す。ここでは基準色：ＢＫとＣのみを示した。他の色も同様であるので説明は割愛する。この実施形態におけるチャートを形成する際の主走査解像度は６００ｄｐｉである。
【００３７】
図６において、ＢＫを基準として、Ｃ色を▲１▼から▲５▼まで、所定のｄｏｔ数、例えば２ｄｏｔずつ左にずらして書き込んでパターンを形成している。この場合、▲３▼において開始側がブラックＢＫとシアンＣのラインが重なっており、さらに▲５▼の場合終了側がブラックＢＫシアンとＣが重なっていることが分かる。このような場合、ユーザが、▲３▼と▲５▼のＮｏ．をプリンタドライバ上もしくは本体の操作パネル上から入力する。このような入力があると、メインＣＰＵ４５は、入力された値からブラックＢＫとシアンＣとの倍率誤差量を計算し、画周波数の変更を行う。この場合、倍率誤差量は４ｄｏｔ（０．１６９３ｍｍ）に相当することが分かる。
【００３８】
そこで、開始側−終了側のＢＫのチャート間隔が２００ｍｍ、パターンを形成したときのＣの画周波数をｆｃとすると、調整後の画周波数：ｆ０ｃは、
ｆ０ｃ＝｛１＋０．１６９３／２００）｝＊ｆｃ  …（２）
で示した（２）式で求められる。求められた画周波数は、メインＣＰＵ４５によって画周波数設定回路４７に設定される。
【００３９】
また、倍率調整を行うための他の例として、図８に示すマークの検知結果から倍率誤差量を算出し、調整することもできる。すなわち、図８に示すように、各ライン１６、１７の中央位置１８がそれぞれ求まった際、シアンＣのブラックＢＫに対するセンサ取り付け距離：Ｌ［ｍｍ］での倍率誤差量は、
ΔＬｃ＝｛｛（Ｃ２２−Ｃ２１）−（Ｋ２２−Ｋ２１）｝
−｛（Ｃ１２−Ｃ１１）−（Ｋ１２−Ｋ１１）｝｝［ｍｍ］
のように求められる。さらに、パターンを形成したときのシアンＣの画周波数をｆｃとすると、調整後の画周波数：ｆ０ｃは、
ｆ０ｃ＝｛１＋ΔＬｃ／Ｌ｝＊ｆｃ
のように求められる。そこで、メインＣＰＵ４５はこのようにして求められた画周波数を画周波数設定回路４７に対して設定する。
【００４０】
以上のように画周波数設定回路４７に画周波数を設定することによって倍率が合った状態、言い換えれば倍率が調整された状態で、新たに基準カウント値の取得、変更（更新）を行い、高画質の画像を出力することが可能となる。
【００４１】
【発明の効果】
以上のように請求項１記載の発明によれば、倍率が合った状態で新たに基準カウント値の取得、更新が行えるので、初期的に記憶された基準カウント値に目標として倍率補正を行ったときに温度特性、経時変化などで生じていた誤差がなくなり、その結果、倍率補正が精度良く行え、高画質の画像を得ることができる。
【００４２】
請求項２記載の発明によれば、基準カウント値を記憶する不揮発性メモリを備え、倍率が調整された時点で前記基準カウント値を更新するので、常に誤差の少ない更新された基準カウント値を使用して倍率補正を行うことが可能になり、これによって高画質の画像を得ることができる。
【００４３】
請求項３記載の発明によれば、更新後の基準カウント値を目標値として倍率補正を行うので、常に誤差の少ない更新された基準カウント値を目標値として倍率補正を行うことが可能になり、これによって高画質の画像を得ることができる。
【００４４】
請求項４記載の発明によれば、レーザ光検出手段を露光開始側と露光終了側にそれぞれ備え、変更（更新）後の基準カウント値、計測されたカウント値、計測したときの画周波数、倍率調整後の画周波数から所定の計算式に基づいて画周波数を決定するので、倍率調整後の画周波数の決定が容易に行える。
【００４５】
請求項５記載の発明によれば、出力された前記チャートを参照してユーザが入力した情報に基づいて倍率調整を行うので、ユーザの入力により各色の倍率が調整された状態で基準カウント値の取得、更新が行え、これによって高画質のカラー画像を得ることができる。
【００４６】
請求項６記載の発明によれば、ベルト状搬送体上に形成したマークに基づいて倍率の調整を行うので、マークの検出結果により各色の倍率が調整された状態で基準カウント値の取得、更新が行え、これによって高画質のカラー画像を得ることができる。
【図面の簡単な説明】
【図１】本発明の実施形態を説明するためのもので、各色の倍率が調整された時点で、基準カウント値の取得をやり直す際のブラック（ＢＫ）の光書き込みの場合の動作概念図である。
【図２】基準カウント数を記憶する不揮発性のメモリのアドレスと基準カウント数との関係を示す説明図である。
【図３】倍率補正を行う場合の目標値変更の処理手順を示すフローチャートである。
【図４】本実施形態に係るカラー画像形成装置の倍率補正を行なう倍率補正手段の回路構成を示すブロック図である。
【図５】画周波数を変更する場合の処理手順を示すフローチャートである。
【図６】ユーザ自身が目視で倍率誤差に起因するずれ量の計測および調整を行うときに参照するチャートの一例を示す図である。
【図７】本発明が適用される従来から実施されているタンデム型のカラー画像形成装置を示す概略構成図である。
【図８】各種ずれ量を補正するために搬送ベルト上に形成されたトナーマーク列の一例を示す図である。
【図９】図７に使用される光学ユニット（露光器）の概略構成図である。
【符号の説明】
１６，１７，２７，２８  ＬＤユニット
２２  ポリゴンミラー
３５，３６，３９，４０  センサ
４１  カウンタ回路
４２  ラッチ回路
４３  パラレル／シリアル変換回路
４４，４６  インターフェース回路
４５  メインＣＰＵ
４７  画周波数変更設定回路
【図１】
0004171172.tif 000002
【図２】
0004171172.tif 000003
【図３】
0004171172.tif 000004
【図４】
0004171172.tif 000005
【図５】
0004171172.tif 000006
【図６】
0004171172.tif 000007
【図７】
0004171172.tif 000008
【図８】
0004171172.tif 000009
【図９】
0004171172.tif 000010